(57)【要約】【課題】新たな製造方法に基づき水和電子を含む機能水を提供する。【解決手段】機能水は電場に曝される原水で形成される。電場は、コンバーター１２で交流を直流に変換して、コンバーター１２のプラス端子１２ａおよびマイナス端子１２ｂの間で直流電圧を印加し、半導体の粒子を含むシリコーンバインダーの固化物で形成される固体２１に結合される第１導体１４に、コンバーター１２のマイナス端子１２ｂからマイナス電位を印加し、第１導体１４から離れて固体２１に結合される第２導体１５から作用する。【選択図】図１
2020054972.tif 000002
【特許請求の範囲】
【請求項１】
コンバーターで交流を直流に変換して、前記コンバーターのプラス端子およびマイナス端子の間で直流電圧を印加し、半導体の粒子を含むシリコーンバインダーの固化物で形成される固体に結合される第１導体に、前記コンバーターの前記マイナス端子からマイナス電位を印加し、前記第１導体から離れて前記固体に結合される第２導体から作用する電場に曝される水で形成されることを特徴とする機能水。
【請求項２】
請求項１に記載の機能水において、前記半導体の粒子は炭化ケイ素の粉末であることを特徴とする機能水。
【発明の詳細な説明】
【技術分野】
【０００１】
本発明は、水和電子を含む機能水に関する。
【背景技術】
【０００２】
特許文献１は機能水の製造方法を開示する。この製造方法では、水の酸化還元反応に基づき水酸化ドロマイトおよびアルミナの水溶液が生成される。水溶液は強力な還元力を有する。水溶液はマイナス８５０ｍＶの酸化還元電位を示す。
【先行技術文献】
【特許文献】
【０００３】
【特許文献１】特開２００３−３００７０１号公報
【発明の概要】
【発明が解決しようとする課題】
【０００４】
酸化還元電子が還元力を示す場合には水溶液中に水素の存在が推認される。したがって、特許文献１に記載の水溶液には電子そのものではなく水素が含まれるものと推測される。水和電子を含む機能水の生成が模索される。
【０００５】
本発明は、上記実状に鑑みてなされたもので、新たな製造方法に基づき水和電子を含む機能水を提供することを目的とする。
【課題を解決するための手段】
【０００６】
本発明の第１側面によれば、コンバーターで交流を直流に変換して、前記コンバーターのプラス端子およびマイナス端子の間で直流電圧を印加し、半導体の粒子を含むシリコーンバインダーの固化物で形成される固体に結合される第１導体に、前記コンバーターの前記マイナス端子からマイナス電位を印加し、前記第１導体から離れて前記固体に結合される第２導体から作用する電場に曝される水で形成される機能水は提供される。
【０００７】
機能水は水中に水和電子を含む。電子は第２導体から水に供給される。こうした機能水が肌に噴霧されると、肌の保湿効果が得られる。毛穴の目立ちが解消される。顔面に噴霧されると、良好な化粧乗りが達成される。筋肉の表面に噴霧されると、筋肉の伸張が促進される。
【０００８】
前記半導体の粒子は炭化ケイ素の粉末であればよい。炭化ケイ素の採用によれば、電子は第２導体から効率的に水に供給される。機能水の生成にあたってマイナス電位の印加時間は短縮されることができる。機能水は良好に機能を発揮することができる。
【図面の簡単な説明】
【０００９】
【図１】本発明の一実施形態に係る機能水の製造装置の構成を概略的に示す概念図である。
【図２】機能水の使用方法を概略的に示す概念図である。
【図３】検証された機能水の効果を示す図面代用写真である。
【図４】検証された機能水の品質を示す図面代用写真である。
【図５】固体の製造方法を概略的に示す概念図である。
【発明を実施するための形態】
【００１０】
以下、添付図面を参照しつつ本発明の実施形態を説明する。
【００１１】
図１は本発明の一実施形態に係る機能水の製造装置１１の構成を概略的に示す。製造装置１１は、交流を直流に変換してプラス端子１２ａおよびマイナス端子１２ｂの間で直流電圧を印加するＡＣ−ＤＣコンバーター１２を備える。ＡＣ−ＤＣコンバーター１２は交流電源１３に接続される。交流電源１３は例えばコンセントといった商用電源であればよい。交流電源１３の電圧は例えば１００ボルトであって電源周波数は例えば５０Ｈｚまたは６０Ｈｚであればよい。ＡＣ−ＤＣコンバーター１２は直流安定化電源といった形態で提供されることができる。直流電圧の電圧値は例えば５００ボルト以上に設定されることが望まれる。
【００１２】
製造装置１１は第１導体１４および第２導体１５を備える。第１導体１４は、例えばステンレス鋼板といった金属板１４ａと、例えば銅線といった金属線で構成され、金属板１４ａに結合される導線１４ｂとで形成される。第１導体１４の導線１４ｂはＡＣ−ＤＣコンバーター１２のマイナス端子１２ｂに接続される。ここでは、ＡＣ−ＤＣコンバーター１２のプラス端子１２ａは開放されることから、第１導体１４に電流は流通しない。交流電源１３の電力は消費されない。
【００１３】
第２導体１５は、例えばステンレス鋼板といった金属板１５ａと、例えば銅線といった金属線で構成され、金属板１５ａに結合される導線１５ｂとで形成される。第２導体１５の導線１５ｂには出力端子１７が結合される。出力端子１７は例えばステンレス鋼その他の金属材から形成される板材であればよい。
【００１４】
製造装置１１は貯水槽１８を備える。貯水槽１８には水が湛えられる。出力端子１７は貯水槽１８の水中に浸される。出力端子１７と水との接触面積はできる限り大きいことが望まれる。出力端子１７は貯水槽１８から所定の間隔で離される。出力端子１７は水に接触するものの貯水槽１８には接触しない。
【００１５】
貯水槽１８は例えばステンレス鋼その他の金属材料で成型されてもよく樹脂その他の非金属材料から成型されてもよい。貯水槽１８が金属材料で成形される場合には、貯水槽１８は絶縁材上に設置されることが望まれる。水には、例えば地下水や湧き水といったナチュラルウオーター（ナチュラルミネラルウオーター）、添加されたミネラルを含むミネラルウオーター、脱塩処理された海洋深層水、純水、超純水、その他の水が用いられることができる。
【００１６】
製造装置１１は第１導体１４および第２導体１５に結合される固体２１を備える。第１導体１４および第２導体１５は相互に離れて配置される。固体２１は、半導体の超微粉（微粒子）を含むシリコーンバインダーの固化物で構成される。固化物は柔軟性を有する。半導体には、例えば炭化ケイ素（ＳｉＣ）や窒化アルミニウム（ＡｌＮ）、窒化ガリウム（ＧａＮ）、酸化亜鉛（ＺｎＯ）といった化合物半導体が用いられてもよく、ＩＶ族半導体や有機半導体、ダイヤモンド半導体が用いられてもよい。固体２１は、マイナス（負）の直流電圧の印加に応じてバンドギャップを超えるエネルギーが作用すると電子の励起を引き起こす。固体２１は板形状に形作られて第１導体１４の金属板１４ａおよび第２導体１５の金属板１５ａに挟まれる。ここでは、下から順番に第１導体１４の金属板１４ａ、１枚目の固体２１、第２導体１５の金属板１５ａ、２枚目の固体２１および第１導体１４の金属板１４ａが順番に重ねられる。
【００１７】
ＡＣ−ＤＣコンバーター１２に交流電圧が印加されると、ＡＣ−ＤＣコンバーター１２のマイナス端子１２ｂからマイナス（負）の直流電圧が出力される。第１導体１４から固体２１にはマイナスの直流電圧が印加される。マイナスの電圧が印加されると、固体２１は第２導体１５を通じて出力端子１７から水に電子を供給する。こうして水中に水和電子を含む機能水は製造される。直流電圧の電圧値が大きければ大きいほど、電子の供給量は増加する。その他、第１導体１４および固体２１の接触面積や、第２導体１５および固体２１の接触面積、第１導体１４および第２導体１５の距離（固体２１の厚み）に応じて電子の供給量は変化する。機能水では、印加前の原水に比べて酸化還元電位の数値に関して優位性は観察されない。
【００１８】
図２に示されるように、機能水はひとＨＭの肌に噴霧されることができる。肌に噴霧されると、ひとＨＭの肌で保湿効果は実現される。毛穴の目立ちが解消される。特に、顔面に噴霧されると、良好な化粧乗りが達成される。噴霧にあたって機能水は例えばスプレーボトル２２に封入される。スプレーボトル２２はひとＨＭによって把持される。スプレーボトル２２の容器２３にはスプレーポンプ２４が取り付けられる。スプレーポンプ２４は容器２３の開口を塞ぐ。スプレーポンプ２４のプッシュボタン２５がばねの弾性力に抗して押し下げられると、機能水は容器２３から管２６で吸い上げられてノズルから噴霧される。
【００１９】
本発明者は機能水の効果を検証した。効果の検証にあたって、機能水はひとの腰に噴霧された。機能水は、腰の表面に直接的に噴霧されてもよく、腰を覆うシャツに噴霧されて濡れたシャツを通じて腰の表面に接触してもよい。図３に示されるように、（ａ）機能水の噴霧前に比べて、（ｂ）機能水の噴霧後（すぐ）では腰の筋肉が伸張することが確認された。その他、腰以外であっても筋肉の表面に噴霧されると、筋肉の伸張が促進されることが確認された。
【００２０】
本発明者は機能水の品質を検証した。品質の検証にあたって、機能水に２ｍＭｏｌのＬ−ｄｏｐａ（ＣＡＳ  ５９−９２−７，Ｗａｋｏ，Ｊａｐａｎ）が添加された。比較対象として超純水に同様にＬ−ｄｏｐａが添加された。図４に示されるように、６時間にわたって室温に放置された結果、機能水（ｂ）では超純水（ａ）に比べて強い度合いで黒色への変色が観察された。
【００２１】
固体２１の製造にあたって半導体材料の超微粉（微粒子）は利用される。超微粉の平均粒径は例えば０．６μｍ〜２．０μｍの間で適宜に設定されればよい。超微粉はシリコーンバインダーに混ぜ込まれる。シリコーンバインダーは硬化剤の反応に従って常温で硬化する。その結果、固体２１はゴム質で柔軟性を有することができる。シリコーンバインダーの混合率に応じて柔軟度は調整される。板形状の固体２１が第１導体１４や第２導体１５の金属板１４ａ、１５ａに挟まれる際に固体２１は第１導体１４および第２導体１５に確実に密着する。密着に応じて固体２１と導体１４、１５との間で電子のやりとりは活発化する。
【００２２】
シリコーンバインダーには、炭化ケイ素（ＳｉＣ）の超微粉に代えて、または、炭化ケイ素の超微粉に加えて、窒化アルミニウム（ＡｌＮ）の超微粉、ダイヤモンド（Ｃ）の超微粉、窒化ガリウム（ＧａＮ）の超微粉および酸化亜鉛（ＺｎＯ）の超微粉のうち少なくともいずれか１つが混ぜ込まれてもよい。窒化アルミニウム、ダイヤモンド、窒化ガリウムおよび酸化亜鉛は炭化ケイ素よりも大きなバンドギャップを有することから、大量の電子の移動は実現されることができる。
【００２３】
図５に示されるように、固体２１の製造にあたってハウジング２７内に第１導体１４の金属板１４ａ、１４ｂおよび第２導体１５の金属板１５ａは設置される。ハウジング２７は例えば樹脂材から成型される。第１導体１４は例えば１枚の金属板から折り曲げ成形される。ハウジング２７のキャビティ２８内で金属板１４ａ、１４ｂの板面および金属板１５ａの板面は等間隔に向き合わせられる。金属板１４ａ、１４ｂはキャビティ２８内で背後からキャビティ２８の壁面に支持される。金属板１４ａおよび金属板１５ａの間に区画される空間２９に流動体３１は流し込まれる。流動体３１はシリコーンバインダーに混ぜ込まれた炭化ケイ素超微粉および硬化剤を含む。硬化剤の働きでシリコーンバインダーが固化すると、固体２１は金属板１４ａ、１４ｂの板面および金属板１５ａの板面に密着する。流動体３１は第１導体１４および第２導体１５の板面に倣うので、密着度は高められる。第１導体１４および第２導体１５には、ハウジング２７の外側に突出する導電性の接続端子が一体に形成される。これら接続端子に導線１４ｂ、１５ｂは連結されればよい。
【符号の説明】
【００２４】
１２…コンバーター（ＡＣ−ＤＣコンバーター）、１２ａ…プラス端子、１２ｂ…マイナス端子、１４…第１導体、１５…第２導体、２１…固体。
【図１】
2020054972.tif 000003
【図２】
2020054972.tif 000004
【図３】
2020054972.tif 000005
【図４】
2020054972.tif 000006
【図５】
2020054972.tif 000007